(57)【要約】      （修正有）【課題】下方側の容器本体に液状、又は粉状の化粧材を充填し、この容器本体口元の雄ネジに螺合開閉するジョイントより、先端に塗布具を固着した棒軸を垂下して化粧材を塗布可能とし、ジョイント上部腔部には、化粧材繰出容器の基筒部分を嵌入して繰出容器として使用することができる両軸型化粧材塗布具容器の、全長を短くする。【解決手段】カートリッジ５を構成する基筒９０がジョイント３の貫通孔３２を経由して、棒軸６に穿設した腔部６４に嵌入可能とする事で化粧材塗布具容器１の全長を短くする。カートリッジ５の基筒９０は、棒軸６の腔部６４内に形成したローレット６５と基筒９０後端に形成したリブ９２が係合して同期に回動する手段とした。【選択図】図２
2008148905.tif 000002
【特許請求の範囲】
【請求項１】
液状、又は粉状の化粧材を充填した容器本体と、この容器本体前部外周に設けた雄ネジに、螺合開閉自在なジョイントと、このジョイントより棒軸を垂下して、この棒軸先端に塗布具を固定し、この塗布具を化粧材に当接する化粧材塗布具容器であって、前記ジョイントは上部円筒体と下部円筒体より構成され、上部腔部より貫通孔が穿設され、先筒と基筒の回転操作で内挿された芯チャック部材の先端に保持された棒状化粧材が前記先筒の先端開口孔より進退する棒状化粧材繰出容器の前記基筒が、前記ジョイントの貫通孔を経由して、棒軸に穿設された腔部内に嵌入可能な事を特徴とする化粧材塗布具容器。
【請求項２】
前記棒状化粧材繰出容器の基筒は、前記棒軸に穿設された腔部内に嵌入するとともに、前記基筒と同期に回動する係合部を棒軸の腔部内に設けた事を特徴とする、請求項１記載の化粧材塗布具容器。
【発明の詳細な説明】
【技術分野】
【０００１】
本発明は化粧材塗布具容器に関し、化粧材塗布具と関連する棒状化粧材繰出容器を併用して使用する技術に関する。
【背景技術】
【０００２】
液状口紅やグロス等の液状、又は粉状の化粧材を塗布具に塗布して使用する化粧材塗布具容器のキャップ上部に腔部を設け、ここに棒状化粧材繰出容器を設置して棒状化粧材を使用する発明は、特許第３６８３１７４号公報に開示されている。液状、又は粉状の化粧材と棒状化粧材を使用する両軸型の化粧材容器は全長が長くなりやすく、これを軸方向に短くする工夫が必要とされる。
【特許文献１】特許第３６８３１７４号公報
【発明の開示】
【発明が解決しようとする課題】
【０００３】
本発明は上記問題に鑑みなされたもので、化粧材塗布具容器の反対側軸方向に棒状化粧材繰出容器をカートリッジとして使用する事を目的とし、更に全長の長さを可能な限り短くする事を目的とした発明である。
【課題を解決するための手段】
【０００４】
そのため、本発明の化粧材塗布具容器においては、液状、又は粉状の化粧材を充填した容器本体と、この容器本体前部外周に設けた雄ネジに、螺合開閉自在なジョイントと、このジョイントより棒軸を垂下して、この棒軸先端に塗布具を固定し、この塗布具を化粧材に当接する化粧材塗布具容器であって、前記ジョイントは上部円筒体と下部円筒体より構成され、上部腔部より貫通孔が穿設され、先筒と基筒の回転操作で内挿された芯チャック部材の先端に保持された棒状化粧材が前記先筒の先端開口孔より進退する棒状化粧材繰出容器の前記基筒が、前記ジョイントの貫通孔を経由して、棒軸に穿設された腔部内に嵌入可能な事を特徴とするものである。
【０００５】
第２の発明においては、前記棒状化粧材繰出容器の基筒は、前記棒軸に穿設された腔部内に嵌入するとともに、前記基筒と同期に回動する係合部を棒軸の腔部内に設けた事を特徴とするものである。
【発明を実施するための最良の形態】
【０００６】
本発明の化粧材塗布具容器１を図により詳細に説明する。
【実施例１】
【０００７】
図１の(Ａ)は、化粧材塗布具容器１の縦一部断面図であり、キャップ４を外し、カートリッジ５とジョイント３を回動すると、棒状化粧材Ｂが先筒５０の先端開口孔５１より進退する構造となっている。(Ｂ)は、ジョイント３と容器本体２を回動して容器本体２より、ジョイント３を螺合解除して棒軸６先端に固定した塗布具７に付着した液状化粧材Ａを化粧する状態を示したものである。
【０００８】
化粧材塗布具容器１はキャップ４を必ずしも必要とするものではないが、棒状化粧材Ｂがリップライナーや口紅の場合はキャップ４を必要とする。又、キャップ４は内周に設けたリブ４３とジョイント外周の縦リブ３５が係合状態にある為、キャップ４を持って容器本体２を回動する事で、容器本体２とジョイント３の螺合を解除する事ができるので、キャップ４を保持しながら塗布具７を使用できる便利さがある。
【０００９】
化粧材塗布具容器１は、図１の(Ａ)(Ｂ)に見られる液状、又は粉状の化粧材Ａを充填され、前記開口孔内周に絞りゴム８を装着し、外周に雄ネジ８ａを備えた容器本体２と、図２(Ｅ)に示されるジョイント３と、このジョイント３の下部円筒体３０ｂの内周に固定され、ジョイント３より垂下する棒軸６とこの棒軸６の先端に固着された塗布具７と、カートリッジ５として棒状化粧材Ｂを進退可能に内蔵する棒状化粧材繰出容器より構成される。
【００１０】
図２より(Ｅ)ジョイント３、(Ｄ)カートリッジ５、(Ｆ)棒軸６を詳細に説明する。
(Ｅ)のジョイント３は、上部円筒体３０ａと下部円筒体３０ｂより構成され、キャップ４を装着する場合は上部円筒体３０ａ外周に縦リブ３５と係合突起３６が設置され、キャップ４の内径リブ４３と縦リブ３５が係合するとともに嵌合凹部４２が係合突起３６
に嵌合する。
【００１１】
(Ｆ)の棒軸６は軸方向に嵌合固定部６３を有し、これに延設する軸部６０と、この軸部６０先端に固着された塗布具７より構成される。嵌合固定部６３には縦リブ６７と嵌合凸部６６が形成され、ジョイント３の内径の連続縦溝３７に縦リブ６７が係合すると同時に嵌合凹部３４に嵌合凸部６６が嵌合して棒軸６をジョイント３内に回動不能に固定する。又、棒軸６の内径には腔部６４が穿設されるとともにローレット６５が設置される。
【００１２】
(Ｄ)のカートリッジ５は、棒状化粧材Ｂが進退可能な先端開口孔５１を備えた先筒５０と、この先筒５０と連結部ａで回動可能に連結された基筒９０と、先端の化粧材保持部７１に棒状化粧材Ｂを狭持した芯チャック部材７０と、芯チャック部材７０の棒軸７４後端の連結部ｂに連結された係止片８０とで構成される。カートリッジ５は、先筒５０と基筒９０の回転運動で内挿された芯チャック部材７０が進退するものであれば、繰出機構の方法は限定されるものではない。
【００１３】
実施例１におけるカートリッジ５の機構を説明する。
先筒５０の内径には、４つの摺動溝５２が貫通孔５３に沿って形成され、芯チャック部材７０先端に設けられた４片の爪片７２は、この摺動溝５２に位置して、棒状化粧材Ｂを狭持している。爪片７２の基部の凸片７６は、摺動溝５２に係合して回転止機構を構成する。又、爪片７２に延設される棒軸７４の表面には雄ネジ突起７３が複数設けられ、基筒９０の前部内周に螺刻された螺旋部９１に螺合して繰出機構を構成している。又、係止片８０は、繰出上昇限を決定している。
【００１４】
カートリッジ５の基筒９０の外周前部には、係合凸部９５が突設され、後端にはリブ９２が設けられる。カートリッジ５をジョイント３の上部腔部３１より挿入すると、基筒９０は貫通孔３２を経由して、棒軸６の腔部６４に進入してローレット６５と基筒９０のリブ９２が係合すると同時に、基筒９０の係合凸部９５と基筒嵌合部３１ａが嵌合する。
【００１５】
本発明は、カートリッジ５を構成する基筒９０がジョイント３の貫通孔３２を経由して、棒軸６に穿設した腔部６４に嵌入可能とする事で化粧材塗布具容器１の全長を短くする事を特徴とするものである。
【００１６】
実施例１ではカートリッジ５の基筒９０は、棒軸６の腔部６４内に形成したローレット６５と基筒９０後端に形成したリブ９２が係合して同期に回動する手段とした事を特
徴とする。
【実施例２】
【００１７】
図３及び図４は、実施例２の化粧材塗布具容器１０１の縦一部断面図と各部材を示す図で、図３はキャップ１０４を外した状態の化粧材塗布具容器１０１の縦一部断面図であり、塗布具７の使用方法や、棒状化粧材繰出容器としてのカートリッジ１０５の棒状化粧材Ｂの使用方法は実施例１に示す化粧材塗布具容器１と同様な使用方法である。      
【００１８】
又、カートリッジ１０５の先筒５０と芯チャック部材７０は実施例１と全く同じ構成の為、実施例１に示す同番号を使用している。
【００１９】
基筒１９０は、内径の螺旋部９１の位置や寸法は第一実施例の基筒９０と同じであるが、基筒１９０の外周に設けたリブ１９２の位置が上部にある事を特徴とし、基筒１９０をジョイント１０３の上部腔部１３１に挿入すると、基筒１９０は貫通孔１３２を経由して、棒軸１０６の腔部１６４に嵌入するとともに、ジョイント１０３の上部腔部１３１内に設けたローレット１３８と前記基筒１９０のリブ１９２が係合して、基筒１９０とジョイント１０３が同期に係合する事を特徴としている。
【００２０】
実施例１のカートリッジ５及び実施例２のカートリッジ１０５をジョイント３、ジョイント１０３に対し回動可能着脱不能に連結して、使い切りの棒状化粧材繰出容器として使用しても良い。
【００２１】
いずれにしろ基筒９０、基筒１９０をジョイント３、ジョイント１０３の貫通孔３２、
貫通孔１３２を経由して棒軸６、棒軸１０６の腔部６４、腔部１６４に嵌入可能とする
事でジョイント３、ジョイント１０３の全長を短くする事が可能となり、使いやすい化粧材塗布具容器を提供できる。  
【図面の簡単な説明】
【００２２】
【図１】本発明による化粧材塗布具容器１の縦一部断面図で、（Ａ）はキャップ４を外した状態を示し、（Ｂ）はジョイント３と容器本体２とを外した状態を示す。
【図２】本発明の化粧材塗布具容器１の各部材を示す図で、（Ｃ）はキャップ４を、（Ｄ）は棒状化粧材繰出容器（カートリッジ）５を、（Ｅ）はジョイント３を、そして（Ｆ）は棒軸６を示す。
【図３】本発明の化粧材塗布具容器１０１の縦一部断面図で、キャップ１０４を外した状態を示す。
【図４】本発明の化粧材塗布具容器１０１の各部材を示す図で、（Ｌ）はカートリッジ１０５を、（Ｍ）はジョイント１０３を、そして（Ｎ）は棒軸１０６を示す。
【符号の説明】
【００２３】
Ａ・・・・液状（粉状）化粧材
Ｂ・・・・棒状化粧材
ａ・・・・連結部
ｂ・・・・連結部
１・・・・化粧材塗布具容器
２・・・・容器本体
３・・・・ジョイント
４・・・・キャップ
５・・・・カートリッジ
６・・・・棒軸
７・・・・塗布具
８・・・・絞りゴム
８ａ・・・雄ネジ
３０ａ・・上部円筒体
３０ｂ・・下部円筒体
３１・・・上部腔部
３１ａ・・基筒嵌合部
３２・・・貫通孔
３３・・・螺旋部
３４・・・嵌合凹部
３５・・・縦リブ
３６・・・係合突起
３７・・・連続縦溝
４０・・・円筒
４１・・・開口孔
４２・・・嵌合凹部
４３・・・リブ
５０・・・先筒
５１・・・先端開口孔
５２・・・摺動溝
５３・・・貫通孔
６０・・・軸部
６３・・・嵌合固定部
６４・・・腔部
６５・・・ローレット
６６・・・嵌合凸部
６７・・・縦リブ
７０・・・芯チャック部材
７１・・・化粧材保持部
７２・・・爪片
７３・・・雄ネジ突起
７４・・・棒軸
７６・・・凸片
８０・・・係止片
９０・・・基筒
９１・・・螺旋部
９２・・・リブ
９５・・・係合凸部
１０１・・化粧材塗布具容器
１０３・・ジョイント
１０４・・キャップ
１０５・・カートリッジ
１３１・・上部腔部
１３２・・貫通孔
１３８・・ローレット
１６４・・腔部
１９０・・基筒
１９２・・リブ
１９５・・係合凸部
【図１】
2008148905.tif 000003
【図２】
2008148905.tif 000004
【図３】
2008148905.tif 000005
【図４】
2008148905.tif 000006